(57)【特許請求の範囲】
【請求項１】
テレビジョン受像機に接続して映像音声信号の記録再生を行う映像音声記録再生装置であって、録画開始の操作を行う操作部と、前記操作部の操作により前記テレビジョン受像機に対してその受信状態を示すデータ信号を送り返すように指令する指令部と、前記テレビジョン受像機より送られてくる映像音声信号を入力する外部入力部と、前記外部入力部に入力された信号に映像信号が存在するかどうかを検出するＳＹＮＣ検出部と、前記テレビジョン受像機からの受信状態を示すデータ信号を検出する検出制御部と、前記検出制御部で検出したデータ信号を選局データに変換するデータ変換部と、前記データ変換部からの選局データに従って放送信号を受信するチューナー部と、前記検出制御部の制御により前記チューナー部からの映像音声信号かもしくは前記外部入力部からの映像音声信号かのどちらかを選択するよう切り換える入力切換部と、前記検出制御部の制御によって前記外部入力部からの映像音声信号を記録部に送る強制切換部と、前記強制切換部からの映像音声信号を記録する記録部とを備え、前記検出制御部は前記テレビジョン受像機からデータ信号が入力されない場合、前記ＳＹＮＣ検出部でテレビジョン受像機における映像信号を検出した時に前記強制切換部を前記外部入力部側に切り換えて前記記録部で映像音声信号を記録することを特徴とする映像音声記録再生装置。
【発明の詳細な説明】
【０００１】
【発明の属する技術分野】
本発明は、ビデオテープレコーダや、ＤＶＤ等の映像音声記録再生装置に関するものである。
【０００２】
【従来の技術】
従来、映像音声記録再生装置は、欧州で決められたＮｅｘＴＶｉｅｗ規格によって、テレビジョン受像機と通信を行い、一つのボタンで、今テレビジョン受像機に表示されている映像を記録する機能（以下、ＷＹＳＩＷＹＲ機能とする）を実現している。
【０００３】
図２は、従来のＷＹＳＩＷＹＲ機能を有する映像音声記録再生装置のブロック図である。図２において、３０はＷＹＳＩＷＹＲ機能などの各種操作を行う操作部、３１は操作部３０からの指令を外部に接続されたテレビジョン受像機に伝達する指令部、３２は外部接続されたテレビジョン受像機、３３はテレビジョン受像機３２からの映像情報を検出する検出制御部、３４は検出制御部３３で検出したテレビジョン受像機３２で受信中の周波数を後述するチューナー部３５で受信可能な周波数データに変換するデータ変換部、３５はデータ変換部３４からの周波数データに基づき所定のチャンネルを受信するチューナー部、３９はテレビジョン受像機３２が外部機器からの映像音声信号を入力している時に入力される外部入力部、３６はチューナー部３５で受信した映像音声信号か外部入力部３９からの映像音声信号かを切り換える入力切換部、３７は入力切換部３６からの映像音声信号を記録媒体に記録する記録部、３８は検出制御部３３でエラー検出した時にエラー表示を行うエラー表示部、４０は映像音声記録再生装置である。
【０００４】
以上のように構成された従来の映像音声記録装置について、以下その動作について説明する。
【０００５】
操作部３０にあるＷＹＳＩＷＹＲ機能を開始するためのボタンが押されると、操作部３０がそのことを指令部３１に伝える。指令部３１は、ＮｅｘＴＶｉｅｗ規格で決められたように、外部に接続されたテレビジョン受像機３２に対して指令を出す。外部に接続されたテレビジョン受像機３２は、それに対して現在画面に表示されている映像の情報（テレビ内蔵チューナーの映像なのか、それとも外部に接続された機器からの映像なのか、とか、もしテレビ内蔵チューナーの映像ならば、そのチャンネルの周波数はいくつか、等）を映像音声記録再生装置４０に対して送り返してくる。テレビジョン受像機３２から送られてくるそれらのデータは、検出制御部３３に入力される。
【０００６】
ここでテレビジョン受像機３２から、チャンネル周波数情報が送られてきたら、そのデータを検出制御部２２はデータ変換部３４に送り、内蔵するチューナーに合せたデータに変換し、そのデータをチューナー部３５に送り、そのチャンネルを受信し、受信した映像音声を入力切換部３６を通して記録部３７に送り、記録媒体に記録する。
【０００７】
また、テレビジョン受像機３２から、外部機器からの映像を表示しているという情報が送られてきたら、テレビジョン受像機３２に表示されている映像音声を外部入力部３９から入力し、その映像音声を入力切換部３６を通して記録部３７に送り、記録媒体に記録する。
【０００８】
もし、テレビジョン受像機３２から、応答が返って来ない場合、つまりこの場合でいうと接続されているテレビジョン受像機がＮｅｘＴＶｉｅｗ規格対応でない場合、検出制御部３３はエラー表示部３８に対して、エラー表示を行うように指令をし、エラー表示部３８は表示部（図示せず）にエラー表示を行う。
【０００９】
【発明が解決しようとする課題】
しかしながら上記のような映像音声記録再生装置においては、ＷＹＳＩＷＹＲ機能は、ＮｅｘＴＶｉｅｗ規格に対応したテレビジョン受像機が接続されている時にしか実行されないという問題点を有していた。
【００１０】
本発明は上記問題点を鑑み、ＮｅｘＴＶｉｅｗ規格に対応したテレビはそれに従ってＷＹＳＩＷＹＲ機能を実行し、対応していないテレビに対してもＷＹＳＩＷＹＲ機能を実現させる映像音声記録再生装置を提供することを目的とする。
【００１１】
【課題を解決するための手段】
この課題を解決するために本発明は、テレビジョン受像機に接続して映像音声信号の記録再生を行う映像音声記録再生装置であって、録画開始の操作を行う操作部と、操作部の操作によりテレビジョン受像機に対してその受信状態を示すデータ信号を送り返すように指令する指令部と、テレビジョン受像機より送られてくる映像音声信号を入力する外部入力部と、外部入力部に入力された信号に映像信号が存在するかどうかを検出するＳＹＮＣ検出部と、テレビジョン受像機からの受信状態を示すデータ信号を検出する検出制御部と、検出制御部で検出したデータ信号を選局データに変換するデータ変換部と、データ変換部からの選局データに従って放送信号を受信するチューナー部と、検出制御部の制御によりチューナー部からの映像音声信号かもしくは外部入力部からの映像音声信号かのどちらかを選択するよう切り換える入力切換部と、検出制御部の制御によって外部入力部からの映像音声信号を記録部に送る強制切換部と、強制切換部からの映像音声信号を記録する記録部とを備え、検出制御部はテレビジョン受像機からデータ信号が入力されない場合、ＳＹＮＣ検出部でテレビジョン受像機における映像信号を検出した時に強制切換部を外部入力部側に切り換えて記録部で映像音声信号を記録することにより、外部に接続されているテレビジョン受像機がＮｅｘｔＶｉｅＷ対応でない場合、テレビジョン受像機において映像信号が存在していたら、その信号を記録部に強制的に切換えて記録をさせるように構成したものである。
【００１２】
【発明の実施の形態】
本発明の請求項１に記載の発明は、テレビジョン受像機に接続して映像音声信号の記録再生を行う映像音声記録再生装置であって、録画開始の操作を行う操作部と、操作部の操作によりテレビジョン受像機に対してその受信状態を示すデータ信号を送り返すように指令する指令部と、テレビジョン受像機より送られてくる映像音声信号を入力する外部入力部と、外部入力部に入力された信号に映像信号が存在するかどうかを検出するＳＹＮＣ検出部と、テレビジョン受像機からの受信状態を示すデータ信号を検出する検出制御部と、検出制御部で検出したデータ信号を選局データに変換するデータ変換部と、データ変換部からの選局データに従って放送信号を受信するチューナー部と、検出制御部の制御によりチューナー部からの映像音声信号かもしくは外部入力部からの映像音声信号かのどちらかを選択するよう切り換える入力切換部と、検出制御部の制御によって外部入力部からの映像音声信号を記録部に送る強制切換部と、強制切換部からの映像音声信号を記録する記録部とを備え、検出制御部はテレビジョン受像機からデータ信号が入力されない場合、ＳＹＮＣ検出部でテレビジョン受像機における映像信号を検出した時に強制切換部を外部入力部側に切り換えて記録部で映像音声信号を記録することにより、外部に接続されているテレビジョン受像機がＮｅｘｔＶｉｅＷ対応でない場合、テレビジョン受像機より入力される信号に映像信号が存在していたら、その信号を記録部に強制的に切換えて記録をさせるようにし、外部に接続されたテレビジョン受像機がＮｅｘＴＶｉｅＷ対応であるか否かに関わらず、ＷＹＳＩＷＹＲ機能を実行することが可能であるという作用を有する。
【００１３】
以下、本発明の実施の形態について、図面を用いて説明する。
（実施の形態１）
図１は本発明の実施の形態である映像音声記録再生装置の構成を示すブロック図である。図１において、１０はＷＹＳＩＷＹＲ機能などの各種操作を行う操作部、１１は操作部１０からの指令を外部に接続されたテレビジョン受像機に伝達する指令部、１２は外部接続されたテレビジョン受像機、１３はテレビジョン受像機１２からの映像情報を検出する検出制御部、１４は検出制御部１３で検出したテレビジョン受像機１２で受信中の周波数を後述するチューナー部１５で受信可能な周波数データに変換するデータ変換部、１５はデータ変換部１４からの周波数データに基づき所定のチャンネルを受信するチューナー部、１９はテレビジョン受像機１２が外部機器からの映像音声信号を入力している時に入力される外部入力部、１６はチューナー部１５で受信した映像音声信号か外部入力部１９からの映像音声信号かを切り換える入力切換部、１７は入力切換部１６からの映像音声信号を記録媒体に記録する記録部、１８は検出制御部１３でエラー検出した時にエラー表示を行うエラー表示部、４０は映像音声記録再生装置である。
強制切換部２０と、ＳＹＮＣ検出部２１からなる。
【００１４】
以上のように構成された本実施の形態の映像音声記録再生装置について、以下その動作について説明する。
【００１５】
操作部１０にあるＷＹＳＩＷＹＲ機能を開始するためのボタンが押されると、操作部１０がそのことを指令部１１に伝える。指令部１１は、ＮｅｘＴＶｉｅｗ規格で決められたように、外部に接続されたテレビジョン受像機１２に対して指令を出す。外部に接続されたテレビジョン受像機１２は、それに対して現在テレビジョン受像機１２に表示されている映像の情報（テレビ内蔵チューナーの映像なのか、それとも外部に接続された機器からの映像なのか、とか、もし内蔵チューナーの映像ならば、そのチャンネルの周波数はいくつか、等）を映像音声記録再生装置４０に対して送り返してくる。テレビジョン受像機１２から送られてくるデータは、検出制御部１３に入力される。
【００１６】
ここで、テレビジョン受像機１２からチャンネル周波数データが送られてきたら、検出制御部１３は、そのデータをデータ変換部１４に送る。データ変換部１４は、そのデータを自らの内蔵するチューナー部１５に合せたデータに変換し、チューナー部１５に送る。チューナー部１５は、そのデータに基づき所定のチャンネルを受信し、その映像音声を入力切換部１６に送る。検出制御部１３は、入力切換部１６と強制切換部２０と記録部１７に指令を送り、チューナー部１５からの映像音声信号を記録部１７で記録媒体に記録するよう制御する。
【００１７】
また、テレビジョン受像機１２から、外部機器映像を表示しているいう情報が送られてきたら、テレビジョン受像機１２に表示されている映像音声を外部入力部１９から入力し、その映像音声信号を入力切換部１６、強制切換部２０を通して記録部１７に送り、記録媒体に記録する。
【００１８】
さらに、テレビジョン受像機１２から応答が無い場合、つまり、この場合においては、接続されているテレビジョン受像機がＮｅｘＴＶｉｅｗ規格に対応していない場合、テレビジョン受像機１２から外部入力部１９に入力されている信号に、映像信号が存在するかどうかをＳＹＮＣ検出部２１にて検出し、その検出結果を検出制御部１３に送る。その検出結果に基づき、映像信号が存在しなければ、検出制御部１３は、エラー表示部１８に対して、エラー表示を行うように指令をし、エラー表示部１８は、エラー表示を行う。また、映像信号が存在すれば、検出制御部１３は、強制切換部２０を強制的に外部入力部１９側に切り換え、外部入力部１９より入力される信号を強制切換部２０を通して記録部１７に送り、記録部１７にて記録媒体に記録するよう制御する。
【００１９】
以上のように本実施の形態によれば、外部に接続されているテレビジョン受像機がＮｅｘＴＶｉｅｗ対応のテレビジョン受像機であるかどうかに関係なく、ＷＹＳＩＷＹＲ機能を実行することができる。
【００２０】
【発明の効果】
以上のように本発明によれば、外部に接続されているテレビジョン受像機がＮｅｘＴＶｉｅｗ対応でない場合、テレビジョン受像機より入力される映像信号が存在していたら、その信号を記録部に強制的に切換えて記録をさせるようにしたので、外部に接続されたテレビジョン受像機がＮｅｘＴＶｉｅＷ対応であるか否かに関わらず、ＷＹＳＩＷＹＲ機能を実行することが可能であるという優れた効果が得られる。
【図面の簡単な説明】
【図１】本発明の実施の形態における映像音声記録再生装置の構成を示すブロック図
【図２】従来の映像音声記録再生装置の構成を示すブロック図
【符号の説明】
１０  操作部
１１  指令部
１２  テレビジョン受像機
１３  検出制御部
１４  データ変換部
１５  チューナー部
１６  入力切換部
１７  記録部
１８  エラー表示部
１９  外部入力部
２０  強制切換部
２１  ＳＹＮＣ検出部
【図１】
0003539142.tif 000002
【図２】
0003539142.tif 000003